(57)【要約】【課題】  番組視聴中にメール送信する際に、その番組を視聴している可能性が高い送信相手先を選択するのが困難であり、使い勝手がよくなかった。【解決手段】  上記課題は、例えば、他の機器と通信する通信手段と、放送信号を受信する放送受信手段と、番組に関する番組情報と該通信手段を用いて通信する通信相手を特定するための通信相手先情報とを関連付けて記憶する記憶手段と、該放送受信手段により受信された放送信号に基づいて該記憶手段により記憶された番組情報を抽出する抽出手段と、該抽出手段により該番組情報が抽出された場合に該番組情報に関連付けされた通信相手先情報を通知するように制御する制御手段とを備えればよい。【選択図】  図3
2005086465.tif 000002
【特許請求の範囲】
【請求項１】
他の機器と通信する通信手段と、
放送信号を受信する放送受信手段と、
番組に関する番組情報と該通信手段を用いて通信する相手に関する通信相手先情報とを関連付けて記憶する記憶手段と、
該放送受信手段により受信された放送信号に基づいて該記憶手段により記憶された番組情報を抽出する抽出手段と、
該抽出手段により該番組情報が抽出された場合に該番組情報に関連付けされた通信相手先情報を通知するように制御する制御手段とを備えることを特徴とする情報処理装置。
【請求項２】
請求項１記載の情報処理装置において、
前記制御手段により通知される前記通信相手先情報は、通信相手のメールアドレスもしくは電話番号であることを特徴とする情報処理装置。
【請求項３】
請求項１記載の情報処理装置において、
前記制御手段は、前記抽出手段により前記番組情報が抽出されなかった場合は、その旨を通知するように制御することを特徴とする情報処理装置。
【請求項４】
請求項１記載の情報処理装置において、
前記制御手段は、該制御手段により該通信相手先情報が通知された場合に該通信相手先情報に基づいて該通信相手と該通信手段を介して通信するように制御することを特徴とする情報処理装置。
【請求項５】
請求項４記載の情報処理装置において、
前記通信相手と通信する前記通信手段が電子メールであることを特徴とする情報処理装置。
【請求項６】
請求項１記載の情報処理装置において、
該放送信号は番組に関連した番組関連情報を含み、
該抽出手段は、該放送受信手段により受信された番組関連情報に基づいて該記憶手段により記憶された番組情報を抽出することを特徴とする情報処理装置。
【請求項７】
請求項６記載の情報処理装置において、
前記番組関連情報が、番組名、番組のジャンルもしくは芸能人に関する情報を含むことを特徴とする情報処理装置。
【請求項８】
請求項１記載の情報処理装置において、
前記放送受信手段により受信された放送信号には1又は複数の項目からなる番組関連データが含まれ、
前記抽出手段により抽出される前記番組情報は１又は複数の項目を有し、
前記制御手段は、該番組関連データと該番組情報とが一致する項目に応じて通信相手先情報を表示する順番を並び替えるように制御することを特徴とする情報処理装置。
【請求項９】
放送信号を受信する放送受信手段と、
該放送受信手段により受信された該放送信号を視聴する視聴手段と、
番組に関する情報を含む個人情報が記載された個人情報記憶手段と、
該視聴手段により該放送信号を視聴している場合に該視聴手段により視聴中の放送信号に基づいて該個人情報記憶手段に記憶された該個人情報に含まれる番組に関する情報を取得する番組情報抽出手段と、
該番組情報取得手段により取得された該番組に関する情報に対応した個人情報を該個人情報記憶手段より読み出して出力する個人情報出力手段とを備えたことを特徴とする情報処理装置。
【請求項１０】
請求項９記載の情報処理装置において、
他の機器と通信する通信手段と、
該通信手段を介して通信相手と通信する際に前記個人情報出力手段により出力された前記個人情報に基づいて通信するように制御する制御手段とを備えることを特徴とする情報処理装置。
【請求項１１】
請求項９又は１０記載の情報処理装置において、
前記個人情報がメールアドレスを含むことを特徴とする情報処理装置。
【請求項１２】
テレビに関する情報を受信するテレビ受信部と、
メールの作成を行うメール機能部と、
該メール機能部により作成されたメールの送受信を行うメール通信部と、
該テレビ受信部により受信された該テレビに関する情報を表示する表示部と、
該表示部により該テレビに関する情報が表示されている最中に該メール機能部によりメールを作成し、該作成されたメールを該メール通信部を介して送信できるように制御する制御部とを備えることを特徴とする情報処理装置。
【請求項１３】
請求項１２記載の情報処理装置において、
前記制御部は、前記表示部により前記テレビに関する情報が表示されている最中に前記メール機能部によりメールを作成するための表示画面を表示するように制御することを特徴とする情報処理装置。
【請求項１４】
請求項１３記載の情報処理装置において、
前記テレビに関する情報が表示されている領域と前記メールを作成するための前記表示画面領域の割合を変更する表示画面割合変更部を備えたことを特徴とする情報処理装置。
【発明の詳細な説明】
【技術分野】
【０００１】
本発明は、放送信号を受信可能な情報処理装置、例えば、携帯電話、PHS（Personal Handy-phone System）、PDA（Personal Digital Assistant）やPC（Personal Computer）等に関するものである。
【背景技術】
【０００２】
特開２００３−１４３５８１号公報には、アプリケーションプログラムに関する各種設定情報を番組に応じて記述した設定ファイルを利用することにより番組情報の閲覧や番組開始の報知等を行う技術が記載されている。
【０００３】
【特許文献１】特開２００３−１４３５８１号公報
【発明の開示】
【発明が解決しようとする課題】
【０００４】
しかしながら、上記特許文献１には、番組ごとに応じた各種設定情報が記述された設定ファイルについて記載されているが、設定ファイルには番組とアドレス帳を関連付ける記述がなされていない。すなわち、番組と個人（着信相手や発信相手）との関係についての着目がなされていない。そのため、例えば、誰がどの番組に興味があったかなどを参考にしながらメール送信先を選択するといったことができなかった。
【０００５】
そこで、本発明の目的は、上記問題を克服すべく、情報処理装置の使い勝手を向上させることにある。
【課題を解決するための手段】
【０００６】
上記課題を解決するために、本発明にかかる情報処理装置は、例えば、他の機器と通信する通信手段と、放送信号を受信する放送受信手段と、番組に関する番組情報と該通信手段を用いて通信する通信相手に関する通信相手先情報とを関連付けて記憶する記憶手段と、該放送受信手段により受信された放送信号に基づいて該記憶手段により記憶された番組情報を抽出する抽出手段と、該抽出手段により該番組情報が抽出された場合に該番組情報に関連付けされた通信相手先情報を通知するように制御する制御手段とを備える。
【発明の効果】
【０００７】
本発明によれば、情報処理装置の使い勝手を向上させることができる。
【発明を実施するための最良の形態】
【０００８】
本発明の実施形態について説明する。本実施形態では、情報処理装置のアドレス帳に番組情報を登録することにより、放送視聴中にメールを作成する際の使い勝手を向上させることができる。
【０００９】
以下、図面において、同一符号は、同一の構成部、同一のステップ等を表す。図１は、本実施形態に係る全体像と情報処理装置１のブロック構成を示した図である。
【００１０】
放送受信部１１は、放送局２より配信される放送信号を受信するものである。ここで、放送信号は、放送番組に関連したデータ（番組関連データ）、番組の映像に関するデータ（映像データ）もしくは番組の音声に関するデータ（音声データ）を有している。
【００１１】
番組関連データは、例えば、放送される番組名、番組開始及び終了時刻、出演者名もしくは広告などを含んでいる。また、「放送信号を視聴する」ということは、後述する表示部１３又は音声出力部１７を用いて放送信号に含まれる映像データや音声データを出力することを意味する。また、番組放送を視聴している最中（視聴中）というのは、使用者等により番組視聴指示がなされてから番組視聴終了指示がなされるまでの間を意味する。
【００１２】
また、「放送」とは、主にテレビ放送を意味するが、ラジオ放送であっても構わない。ラジオ放送の場合の放送信号には当然に映像データは含まれない。
【００１３】
入力部１２は、キーボード等の電話番号その他の情報を入力する入力部であり、携帯電話の電源をＯＮ/ＯＦＦするときなどにユーザが携帯電話に入力を与える際に使用するものである。
【００１４】
表示部１３は、例えば、ＬＣＤ（Liquid Crystal Display）や有機ＥＬ等で構成され、方送受信部１１により受信された放送信号に含まれる映像データを表示する。また、例えば、電源状態や電波強度などの動作状態やメール機能などの各種機能を利用するために必要な画面を表示する。
【００１５】
記憶部１４は、例えば、ＲＯＭ（Read Only Memory）やＲＡＭ(Random Access Memory)等で構成され、携帯電話１００で扱うデータやソフトウェアなども記憶する。また、記憶部１４は、自分及び他人の個人情報をアドレス帳として記憶する。使用者はアドレス帳を用いて、メールや電話の通信相手を特定したり、自分の電話番号等を確認したり、また、登録された知人等に関する情報を参照する。
【００１６】
ここで、個人情報の項目としては、例えば、名前、電話番号、メールアドレス、テレビ等の番組に関する情報（以下、番組情報）などから構成される。本明細書においては、アドレス帳における１人分のデータをアドレスデータと定義する。詳細は後述する。
【００１７】
通信部１５は、他の情報処理装置とデータのやり取りを行う。また、携帯電話１００がインターネットやメール等で他の情報処理装置などにアクセスするための通信処理等も行う。また、通信部１５は、図１に示すように１つのみを使用する場合に限らず、例えば、ＣＤＭＡ、ＥＶ−ＤＯ、無線ＬＡＮ等の複数の通信方式を利用可能にするために複数備えても良い。
【００１８】
制御部１６は、記憶部１４に記憶されたプログラムに基づいて動作し、例えば、入力部１２からの入力に応じて各部を制御するものである。音声出力部１７は、音声に関するデータを出力するものであり、例えば、スピーカである。本実施形態においては、音声出力部１７は、放送受信部１１により受信された放送信号に含まれる音声データを出力する。
【００１９】
なお、図1の構成例とは異なるが、独立した放送受信部11を持たず、通信部１５の扱う通信路で、放送受信と他の通信を並列に処理する構成にしてもよい。これにより、回路規模の低減が図れ、携帯電話の小型化に貢献する。
【００２０】
また、ラジオ放送を受信するラジオ放送受信部を放送受信部１１及び通信部１５とは独立に、あるいは、放送受信部１１または通信部１５のいずれかに包含させるように構成してもよい。
【００２１】
更に、通信部１５の回路がテレビ放送、ラジオ放送及びその他の通信を並列的に行えるように構成してもよい。この際、制御部１６は受信データがテレビであるのか、ラジオであるのかあるいはその他に関するデータであるのかを判定し、その判定に基づいて処理回路を切り換える。これにより、各種データの通信処理を１構成部で実現することができ、回路規模の低減が図れ、携帯電話の小型化に貢献する。
【００２２】
次に、アドレスデータの構造の例について図２に示す。ここでは登録者Rのアドレスデータを考える。アドレスデータは、前述したように、登録者Rの名前、電話番号、メールアドレス、番組情報からなる。番組情報は、テレビやラジオ等の番組に関する情報であり、例えば、嗜好番組リスト、嗜好ジャンルリスト、嗜好芸能人リストからなる。
【００２３】
ここで、嗜好番組リストとは、登録者Ｒの好きな番組の情報のリストであり、嗜好ジャンルリストとは、登録者Ｒの好きなジャンルを示した情報のリストであり、嗜好芸能人リストとは、登録者Ｒの好きな芸能人を示した情報のリストである。
【００２４】
なお、番組情報は、番組に関する情報であれば、嗜好番組リスト、嗜好ジャンルリスト、嗜好芸能人リスト以外の情報を有していても構わない。また、それぞれの情報は空でも構わない。また、アドレスデータは、名前、電話番号、メールアドレス、番組情報以外の情報を有していてもよいのは言うまでもない。上述してきたアドレスデータが複数集まってアドレス帳が形成される。
【００２５】
続いて、情報処理装置１を用いて放送視聴中にメールを作成することについて、図３から図７を用いて説明する。
【００２６】
まず、図３により放送視聴中に情報処理装置1を用いてメールを作成する手順を説明する。情報処理装置１の使用者がTV起動の操作を行うと、制御部１６は操作部１２からTV起動要求の信号を受け取り、放送受信部１１を介して放送信号を受信し、表示部１３に映像データを表示し、音声出力部１７により音声データを出力する（Ｔ１０１）。使用者によりチャンネルの切り替えの操作が行われると（Ｔ１０２）、制御部１６はチャンネル切り替え要求の信号を受け取り、放送受信部１１を介して使用者が指定したチャンネルの放送を放送局より受信し、表示部１３に表示する（Ｔ１０３）。
【００２７】
情報処理装置１の使用者がメール作成を始めるための操作を行うと（Ｔ１０４）、制御部１６はメール作成開始要求の信号を受け取り、記憶部１４に記憶されたメール機能に関するプログラムを起動させ、受信している放送とメール作成画面とを表示部１３に分割表示する（Ｔ１０５）。
【００２８】
情報処理装置１の使用者がメール作成画面をアクティブにするように操作すると、制御部１６はメール画面をアクティブにする要求の信号を受け取り、表示部１３のメール作成画面をアクティブにする（Ｔ１０６）。制御部１６は、操作部１２より信号を受け取ることにより、メールを作成する（Ｔ１０７）。
【００２９】
情報処理装置１の使用者がメール送信の操作を行うと、制御部１６は、操作部１２よりメール送信要求の信号を受け取り、通信部１５を介してメールを送信する（Ｔ１０８）。次に、制御部１６は表示部１３の画面分割表示を止め、放送信号に含まれる映像データを表示部１３に表示する（Ｔ１０９）。以上で、メール送信を完了する。
【００３０】
図４は、表示部13の画面分割表示（Ｔ１０５）についてより具体的な表示例を示す図である。
【００３１】
図４（a）は、メール画面の方を（ＴＶ）放送画面より大きくした場合の表示例である。
画面上側にテレビ放送を受信していることを示すデータが表示されている。これにより、使用者はメール作成するとともにテレビを見ている最中であることを確認することができる。
【００３２】
また、放送表示に割り当てられた表示部の大きさがあらかじめ指定された値以下になった場合には放送を表示するかわりに、放送を受信していることを表すアイコンを表示する。これによれば、放送を表示する際に消費される消費電力が節約できる。アイコン表示の方が時間あたりの消費電力量が小さいからである。
【００３３】
また、例えば、図４（b）のように、表示部１３に放送とメール作成画面の両方を表示する際、表示部１３を縦に分割し、上側に放送を表示し、下側にメール作成画面を表示する。また、上側にメール作成画面を表示し、下側に放送を表示してもよい。また、表示部１３を横に分割し、左側に放送を表示し、右側にメール作成画面を表示してもよい。また、表示部１３を横に分割した際、左側にメール作成画面を表示し、右側に放送を表示してもよい。
【００３４】
更に、図４（ｃ）のように、メール作成画面の表示部があらかじめ指定した値以上小さくなった場合にはメール作成画面を表示するかわりに、メールを作成していることを表すアイコンを表示すれば、図４（ａ）と同様に放送表示に費やされる消費電力を節約できる。
【００３５】
また、表示部１３を分割する際、放送表示とメール作成画面の表示が行えれば、上下または左右の分割でなくても構わない。
【００３６】
また、表示部１３を分割表示した際の放送の表示部とメール作成画面の表示部の大きさは情報処理装置１の使用者が自由に変えられるようにしてもよい。これにより、使用者は番組視聴中にメールを作成する際に自由に表示画面の大きさを調整することができ、使い勝手がよい。特に、携帯電話のような表示画面の大きさが限定されているような情報処理装置において本実施形態を適用すると非常に有効である。
【００３７】
図４中の手順「メールの作成（Ｔ１０７）」について、図５を用いてさらに詳細に説明する。メール作成を開始すると、制御部１６は操作部１２を介して情報処理装置１の使用者からメール作成に必要な処理要求信号を受信する（Ｔ６０１）。
【００３８】
制御部１６は受信した信号により、異なる処理を行う。制御部１６は受信した信号が本文作成要求かどうかを判断し（Ｔ６０２）、本文作成要求であるときには、本文作成を行い（Ｔ６０３）、再び操作部１２を介して情報処理装置１の使用者からの処理要求信号を受信する。本文作成要求でないときには、制御部１６は受信した信号がファイル添付要求かどうかを判断し（Ｔ６０４）、ファイル添付要求であるときには、添付ファイル選択を行う（Ｔ６０５）。そして、再び操作部１２を介して情報処理装置１の使用者からの処理要求信号を受信する。受信した信号が本文作成要求でもファイル添付要求でもないときは、次に制御部１６は受信した信号が宛先作成要求かどうかを判断し（Ｔ６０６）、宛先作成要求であるときには、宛先作成を行う（Ｔ６０７）。
【００３９】
そして、再び操作部１２を介して情報処理装置１の使用者からの処理要求信号を受信する。受信した信号が本文作成要求でもファイル添付要求でも宛先作成要求でもないときは、次に制御部１６は受信した信号が作成終了要求かどうかを判断し（Ｔ６０８）、作成終了要求であるときには、メールの作成を終了する。
【００４０】
受信信号が作成終了要求ではないとき、再び操作部１２を介して情報処理装置１の使用者からの処理要求信号を受信する。
【００４１】
これらの処理のうち、「宛先作成（Ｔ６０７）」について図６を用いてアドレス帳に保存された番組情報を用いる方法を説明する。
【００４２】
まず、情報処理装置１の使用者が宛先の作成の開始の操作を行うと、制御部１６は操作部１２より宛先作成開始要求の信号を受け取り、受信しているテレビ放送の情報を検出する（Ｔ２０１）。ここで、テレビ放送の情報には、現在の時間やチャンネル名だけでなく、番組名や番組のジャンルなどが含まれる。当然、受信している放送についての情報であればどのような情報でも構わない。受信している放送の情報は、放送受信部１１から受信してもよいし、通信部１５を介して放送の情報を提供しているサーバから入手してもよい。また、放送信号に含まれる番組関連データを利用しても構わないのは言うまでもない。
【００４３】
以下、番組関連データを利用する場合について説明する。制御部１６は受信している放送の情報に基づき、アドレス帳を検索する（Ｔ２０２）。制御部１６はアドレス帳に含まれる番組情報と番組関連データとで、一致している項目がある登録者を表示部１３に表示する（Ｔ２０３）。制御部１６は、一致している項目がない場合は、その旨、例えば、「該当者はおりません」等の表示を行う。
【００４４】
情報処理装置１の使用者が宛先にする登録者を指定すると、制御部１６は操作部１２より登録者についての信号を受け取り、指定された登録者のメールアドレスを作成中のメールの宛先とし（Ｔ２０４）、宛先の作成を完了する。
【００４５】
以上により、放送視聴中にメールを作成する際、情報処理装置１の使用者がメールを送りたいと思っている相手を容易に宛先に設定することができる。
【００４６】
登録者を表示する形態としては、番組情報の項目に基づき登録者名の順番を並び替えるようにしてもよい。以下、具体的に説明する。アドレス帳に含まれる番組情報の項目としては、例えば、「(1)好きな番組タイトル名」、「(2)好きな芸能人」、「(3)好きな番組ジャンル」があり、放送信号に含まれる番組関連データにも少なくとも、「番組タイトル名」、「出演芸能人」、「番組ジャンル」が含まれるものとする。
【００４７】
ここでは、便宜上、アドレス帳に登録された登録者Ａと登録者Ｂの二人について説明する。アドレス帳の登録者Ａの欄には「(1)好きな番組タイトル名」（以下、項目(1)）として「○○ラブストーリ」、「(2)好きな芸能人」（以下、項目(2)）として「×川△子」、「(3)好きな番組ジャンル」（以下、項目(3)）として「トレンディラブロマンス」が登録されている。一方、アドレス帳の登録者Ｂの欄の項目(1)には「○○爆笑ライブ」、項目(2)には「□本△志」、項目(3)には「お笑い」と登録されている。
【００４８】
放送受信部１１により放送信号を受信した場合に、制御部１６は放送信号に含まれる番組関連データを抽出し、一時的に記憶部１４に記憶する。今、記憶部１４に記憶された番組関連データが「番組タイトル名：○○ラブストーリ」「出演芸能人：○本○志」「番組ジャンル：トレンディラブロマンス」を示すものであるとする。
【００４９】
そして、制御部１６は、該番組関連データに少なくとも１つでも合致する項目を有する登録者を検索する。ここで、登録者Ａは項目(1)と項目(3)が番組関連データと一致し、登録者Ｂは項目(2)が番組関連データと一致する。制御部１６は、合致する項目が多い登録者Ａを登録者Ｂより上位の順番に表示する。合致項目が多いほどその番組を見ている可能性が高い。
【００５０】
これにより、単に合致項目がある登録者が表示されるのではなく、今視聴している番組を見ている可能性の高い人ほど上位にくるように並び替えることにより、使用者は誰にメールを送信するかを決定する際の参考にすることができる。
【００５１】
なお、上記では、合致項目が多い登録者を上位にくるように登録者の表示順番を並び替えたが、これに限定するものではない。例えば、合致項目数ではなく、所定の項目が一致する登録者を優先的に上位に表示にするようにしてもよい。この場合、上記例では、登録者Ｂが登録者Ａより上位の順番に表示される。
【００５２】
また、表示される登録者の順番をどの項目を基準にして並び替えるかを使用者の操作により選択できるようにすれば、使い勝手は良くなる。
【００５３】
また、一致している項目があってもその登録者を表示しないように使用者が選択設定できるようにしても構わない。ここで、ある項目が一致していたとしてもその登録者は表示されないが、他のある項目が一致した場合にはその登録者を表示するなど使用者が設定できるようにする。これによりは、むやみやたらに登録者が表示されることを防ぐことができ、メール送信相手等を選択する際に選択しやすくなるとともに番組視聴の妨げを防ぐことができる。
【００５４】
また、例えば、現在の時刻から３０分後に始まる番組を嗜好している登録者を表示するようにしてもよい。これにより、例えば、もうすぐその登録者の好きな番組が始まることをその登録者に伝えることができ、コミュニケーションの機会を増やすことができる。その際に、通知音等で使用者に現在の時刻から３０分後に当該番組が始まる旨を知らせる方が好ましい。
【００５５】
また、上述した実施形態では、優先度を変えて表示を行う方法として表示の順番を変えることを考えたが、表示の大きさや色を変えることが考えられる。例えば、視聴中の番組に合致度が大きい登録者ほどその登録者表示文字の大きさを大きくしたり、合致度が上昇するにつれて応じて赤色→黄色→青色と変色させても構わない。これにより、使用者は視聴中の番組に合致度が大きい登録者を視覚的に容易に把握でき、使い勝手がよい。
【００５６】
なお、ここで合致度とは、アドレス帳に含まれる番組情報と放送信号に含まれる番組関連データとの合致する度合いを意味し、例えば、上述したように、一致する項目の数や一致する項目の種類に応じて決定されるものである。
【００５７】
また、上記実施形態では視聴番組に対する合致度が高い登録者を表示する際に「登録者名」で表示するようにしたが、登録者であることが分かればこれに限定するものではない。例えば、登録者名の替わりに、登録者のニックネームや顔画像、登録者を意味する記号（番号含む）やアイコン、登録者の電話番号などを表示しても良い。あるいは、登録者名とともに前述したものを表示しても良い。
【００５８】
また、予め使用者がアドレス帳の登録者をグループ化しておき、テレビ番組視聴中にそのグループを選択できるようにしておけば使い勝手はよい。１操作で行えるようにすれば更に使い勝手は向上する。
【００５９】
図７は、放送視聴中にメールを作成する際の画面遷移を表したものである。まず、（Ｔ１０３）で、表示部13に番組表示を行う（Ｄ４０１）。（Ｔ１０５）において画面分割表示を行うと（Ｄ４０２）、（Ｔ２０３）により宛先の検索結果を表示する（Ｄ４０３）。（Ｔ２０４）により宛先が決定されると（Ｄ４０４）、（Ｔ６０３）によりメールの本文が作成される（Ｄ４０５）。そして、（Ｔ１０８）によりメールが送信されると、画面表示を番組表示にする（Ｄ４０６）。
【００６０】
以上のような表示画面を用いることで、使用者は番組視聴中に簡単にメールの宛先を設定することができる。
【００６１】
また、上記実施形態とは異なり、テレビを視聴していない場合に番組情報、例えば、番組名を基にメールあるいは電話相手先をアドレス帳から検索するようにしても構わない。
【００６２】
この場合、使用者によりある番組名が入力されたとすると、制御部１６は、当該番組名をその好きな番組として登録している登録者をアドレス帳から検索する。そして、該当登録者がいればその登録者名等を表示部１３に表示し、該当登録者がいなければその旨を表示する。
【００６３】
以上により、アドレス帳から登録者を検索する際に番組名を利用することができ、使い勝手がよい。
【００６４】
なお、本実施形態では放送視聴中にメールを作成することについて述べてきたが、電話をかける場合やURLにアクセスする場合でも同様の宛先作成方法を用いることができる。
【００６５】
また、上述してきた種々の機能をソフトウェアで実現してもよく、ユーザは、例えば、ＣＤ―ＲＯＭ等の記録媒体やサーバから当該ソフトウェアを受信して当該種々の機能を実現できる。これにより、必要な機能だけを搭載したり、好みに応じて色々な機能を追加もしくは削除したり、あるいは更新することが容易になる。
【００６６】
更に、上述してきた実施形態を組み合わせて新しく実施形態を構成することができることは言うまでもない。
【００６７】
また、本発明は、上記に示された実施形態に限定されるものではなく、ここに開示された原理及び新しい特性は広範囲の技術的範囲を含むものである。
【図面の簡単な説明】
【００６８】
【図１】第１の実施形態のシステム構成図である。
【図２】第１の実施形態におけるアドレスデータのデータ構造図例である。
【図３】第１の実施形態におけるメール送信の処理フローである。
【図４】第１の実施形態における画面分割例である。
【図５】第１の実施形態におけるメール作成の処理フローである。
【図６】第１の実施形態における宛先入力の処理フローである。
【図７】第１の実施形態におけるアドレス検索結果の画面表示例である。
【符号の説明】
【００６９】
１・・・情報処理装置、２・・・放送局、１１・・・放送受信部、１２・・・操作部、１３・・・表示部、１４・・・記憶部、１５・・・通信部、１６・・・制御部、１７・・・音声出力部
【図１】
2005086465.tif 000003
【図２】
2005086465.tif 000004
【図３】
2005086465.tif 000005
【図４】
2005086465.tif 000006
【図５】
2005086465.tif 000007
【図６】
2005086465.tif 000008
【図７】
2005086465.tif 000009